【手続補正書】
【提出日】平成18年10月22日(2006.10.22)
【手続補正１】
【補正対象書類名】特許請求の範囲
【補正対象項目名】全文
【補正方法】変更
【補正の内容】
【特許請求の範囲】
【請求項１】
入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段が備えらた複数の双方向型自動改札・集札装置と、
その複数の双方向型自動改札・集札装置に接続され、それぞれの双方向型自動改札・集札装置に対して改札手段若しくは集札手段のいずれを作用させるかをそれぞれ制御することが可能な集中制御装置と、から構成され、
前記複数の双方向型自動改札・集札装置は、それぞれ改札手段を作用させて改札を行ったことにより得られた入場者数と集札手段を作用させて集札を行ったことにより得られた出場者数との情報を前記集中制御装置に送信し、
前記集中制御装置は、前記それぞれの双方向型自動改札・集札装置より受信した、複数の改札手段を作用させて改札を行うことで得られた入場者数と集札手段を作用させて集札を行うことで得られた出場者数との情報とに基づき、一定の時間間隔毎若しくは特定の時間間隔毎の入場者数の合計と出場者数の合計との比率を算出し、
さらに集中制御装置は、前記複数の双方向型自動改札・集札装置の改札手段を作用させる台数と集札手段を作用させる台数との比率が、前記算出結果である一定の時間間隔毎若しくは特定の時間間隔毎の入場者数の合計と出場者数の合計との比率の近似の整数になるように、前記それぞれの双方向型自動改札・集札装置の改札手段を作用させるか集札手段を作用させるかを制御する制御情報を、前記それぞれの双方向型自動改札・集札装置に送信し、
前記それぞれの双方向型自動改札・集札装置は、前記集中制御装置から受信した前記制御情報に基づき、それぞれの双方向型自動改札・集札装置の改札手段を作用させるか若しくは集札手段を作用させるかを択一的に制御することにより、
前記複数の双方向型自動改札・集札装置の改札手段を作用させる台数と集札手段を作用させる台数との比率が、前記算出結果である一定の時間間隔毎若しくは特定の時間間隔毎の入場者数の合計と出場者数の合計との比率の近似の整数になるように、
制御することを特徴とする集中制御装置を備えた双方向型自動改札・集札システム。
【請求項２】
入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムであって、
前記複数の双方向型自動改札・集札装置のそれぞれの改札・集札制御手段は、改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信し、
前記集中制御装置の集中制御手段の制御手段は、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出し、
さらに集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記一定の時間間隔毎若しくは特定の時間間隔毎の入場者数の合計と出場者数の合計との比率の近似の整数になるように、
前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になるように、
制御することを特徴とする集中制御装置を備えた双方向型自動改札・集札システム。
【請求項３】
入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムであって、
前記複数の双方向型自動改札・集札装置のそれぞれの改札・集札制御手段は、改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信し、
前記集中制御装置の集中制御手段の制御手段は、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出し、
さらに集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記一定の時間間隔毎若しくは特定の時間間隔毎の入場者数の合計と出場者数の合計との比率の近似の整数になるように、
前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になるように、
制御することを特徴とする集中制御装置の制御プログラムを記録したコンピュータ読取り可能な記録媒体。
【請求項４】
入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムであって、
前記複数の双方向型自動改札・集札装置のそれぞれの改札・集札制御手段は、改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信し、
前記集中制御装置の集中制御手段の制御手段は、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出し、
さらに前記集中制御装置の集中制御手段の制御手段は、その算出した比率と算出した年月日と時間と曜日との情報を前記記憶手段に記憶させ、且つ、その記憶手段に記憶させた過去の情報の中から所望する月毎や日にち毎や曜日毎や時間毎の条件にあった比率の情報を一つ以上読み出し、
さらに前記集中制御装置の集中制御手段の演算手段にて、前記読み出した一つ以上の情報の平均の比率である平均比率を算出し、
さらに前記集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記平均比率の近似の整数になるように、
前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記過去の情報の中から所望する月毎や日にち毎や曜日毎や時間毎の条件にあった一つ以上の情報の平均の比率である平均比率の近似の整数になるように、
制御することを特徴とする集中制御装置を備えた双方向型自動改札・集札システム。
【請求項５】
入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムであって、
前記複数の双方向型自動改札・集札装置のそれぞれの改札・集札制御手段は、改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信し、
前記集中制御装置の集中制御手段の制御手段は、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出し、
さらに前記集中制御装置の集中制御手段の制御手段は、その算出した比率と算出した年月日と時間と曜日との情報を前記記憶手段に記憶させ、且つ、その記憶手段に記憶させた過去の情報の中から所望する月毎や日にち毎や曜日毎や時間毎の条件にあった比率の情報を一つ以上読み出し、
さらに前記集中制御装置の集中制御手段の演算手段にて、前記読み出した一つ以上の情報の平均の比率である平均比率を算出し、
さらに前記集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記平均比率の近似の整数になるように、
前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記過去の情報の中から所望する月毎や日にち毎や曜日毎や時間毎の条件にあった一つ以上の情報の平均の比率である平均比率の近似の整数になるように、
制御することを特徴とする集中制御装置の制御プログラムを記録したコンピュータ読取り可能な記録媒体。
【請求項６】
入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムの動作方法であって、
前記複数の双方向型自動改札・集札装置のそれぞれの改札・集札制御手段が、それぞれ改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信するステップと、
前記集中制御装置の集中制御手段の制御手段が、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出するステップと、
さらに集中制御装置の集中制御手段の制御手段が、前記複数の双方向型自動改札・集札装置の改札手段を作用させる台数と集札手段を作用させる台数との比率が、前記集中制御装置の集中制御手段の演算手段の演算結果である前記一定の時間間隔毎若しくは特定の時間間隔毎の入場者数の合計と出場者数の合計との比率の近似の整数になるように、前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信するステップと、
前記それぞれの双方向型自動改札・集札装置の改札・集札制御手段が、前記集中制御装置の集中制御手段の制御手段から受信した前記制御情報に基づき、それぞれの改札・集札手段の改札手段を作用させるか若しくは集札手段を作用させるかを択一的に制御するステップにより、
前記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になるように制御することを特徴とする双方向型自動改札・集札システムの動作方法。
【請求項７】
入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、
画像を撮影するテレビカメラ手段とその撮影した画像中の人物の数の検出する画像認識手段とその検出した人物がどちらの方向に動いているかを示す動きベクトルを検出する動きベクトル検出手段とを備えた入場者数と出場者数とを計測する入出場者数計測手段と、が備えられた集中制御装置と、
から構成された双方向型自動改札・集札システムであって、
前記入出場者数計測手段は、テレビカメラ手段にて双方向型自動改札・集札システムの通路の画像を撮影しその情報を画像認識手段に送信し、画像認識手段は受信した前記画像に人が何人撮影されているかを認識し、動きベクトル検出手段は前記画像情報と認識情報とから入場方向に移動している人を入場者であると判断しその合計を計測し且つ出場方向に移動している人を出場者であると判断しその合計を計測することにより得られた入場者数と出場者数との情報を、前記集中制御装置の集中制御手段の制御手段宛に送信し、
前記集中制御装置の集中制御手段の制御手段は、前記入出場者数計測手段を作用させて得られた入場者数と出場者数との情報に基づき、一定の時間間隔毎若しくは特定の時間間隔毎の入場者数の合計と出場者数の合計との比率を集中制御手段の演算手段にて算出し、
さらに前記集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記一定の時間間隔毎若しくは特定の時間間隔毎の入場者数の合計と出場者数の合計との比率の近似の整数になるように、前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になるように、
制御することを特徴とする集中制御装置を備えた双方向型自動改札・集札システム。
【手続補正２】
【補正対象書類名】明細書
【補正対象項目名】０００５
【補正方法】変更
【補正の内容】
【０００５】
請求項１に記載の発明は、入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段が備えらた複数の双方向型自動改札・集札装置と、
その複数の双方向型自動改札・集札装置に接続され、それぞれの双方向型自動改札・集札装置に対して改札手段若しくは集札手段のいずれを作用させるかをそれぞれ制御することが可能な集中制御装置と、から構成され、
前記複数の双方向型自動改札・集札装置は、それぞれ改札手段を作用させて改札を行ったことにより得られた入場者数と集札手段を作用させて集札を行ったことにより得られた出場者数との情報を前記集中制御装置に送信し、
前記集中制御装置は、前記それぞれの双方向型自動改札・集札装置より受信した、複数の改札手段を作用させて改札を行うことで得られた入場者数と集札手段を作用させて集札を行うことで得られた出場者数との情報とに基づき、一定の時間間隔毎若しくは特定の時間間隔毎の入場者数の合計と出場者数の合計との比率を算出し、
さらに集中制御装置は、前記複数の双方向型自動改札・集札装置の改札手段を作用させる台数と集札手段を作用させる台数との比率が、前記算出結果である一定の時間間隔毎若しくは特定の時間間隔毎の入場者数の合計と出場者数の合計との比率の近似の整数になるように、前記それぞれの双方向型自動改札・集札装置の改札手段を作用させるか集札手段を作用させるかを制御する制御情報を、前記それぞれの双方向型自動改札・集札装置に送信し、
前記それぞれの双方向型自動改札・集札装置は、前記集中制御装置から受信した前記制御情報に基づき、それぞれの双方向型自動改札・集札装置の改札手段を作用させるか若しくは集札手段を作用させるかを択一的に制御することにより、
前記複数の双方向型自動改札・集札装置の改札手段を作用させる台数と集札手段を作用させる台数との比率が、前記算出結果である一定の時間間隔毎若しくは特定の時間間隔毎の入場者数の合計と出場者数の合計との比率の近似の整数になるように、
制御することを特徴とする集中制御装置を備えた双方向型自動改札・集札システムである。
【手続補正３】
【補正対象書類名】明細書
【補正対象項目名】０００６
【補正方法】変更
【補正の内容】
【０００６】
請求項２に記載の発明は、入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムであって、
前記複数の双方向型自動改札・集札装置のそれぞれの改札・集札制御手段は、改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信し、
前記集中制御装置の集中制御手段の制御手段は、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出し、
さらに集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記一定の時間間隔毎若しくは特定の時間間隔毎の入場者数の合計と出場者数の合計との比率の近似の整数になるように、
前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になるように、
制御することを特徴とする集中制御装置を備えた双方向型自動改札・集札システムである。
【手続補正４】
【補正対象書類名】明細書
【補正対象項目名】０００７
【補正方法】変更
【補正の内容】
【０００７】
請求項３に記載の発明は、入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムであって、
前記複数の双方向型自動改札・集札装置のそれぞれの改札・集札制御手段は、改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信し、
前記集中制御装置の集中制御手段の制御手段は、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出し、
さらに集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記一定の時間間隔毎若しくは特定の時間間隔毎の入場者数の合計と出場者数の合計との比率の近似の整数になるように、
前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になるように、
制御することを特徴とする集中制御装置の制御プログラムを記録したコンピュータ読取り可能な記録媒体である。
【手続補正５】
【補正対象書類名】明細書
【補正対象項目名】０００８
【補正方法】変更
【補正の内容】
【０００８】
請求項４に記載の発明は、入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムであって、
前記複数の双方向型自動改札・集札装置のそれぞれの改札・集札制御手段は、改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信し、
前記集中制御装置の集中制御手段の制御手段は、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出し、
さらに前記集中制御装置の集中制御手段の制御手段は、その算出した比率と算出した年月日と時間と曜日との情報を前記記憶手段に記憶させ、且つ、その記憶手段に記憶させた過去の情報の中から所望する月毎や日にち毎や曜日毎や時間毎の条件にあった比率の情報を一つ以上読み出し、
さらに前記集中制御装置の集中制御手段の演算手段にて、前記読み出した一つ以上の情報の平均の比率である平均比率を算出し、
さらに前記集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記平均比率の近似の整数になるように、
前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記過去の情報の中から所望する月毎や日にち毎や曜日毎や時間毎の条件にあった一つ以上の情報の平均の比率である平均比率の近似の整数になるように、
制御することを特徴とする集中制御装置を備えた双方向型自動改札・集札システムである。
【手続補正６】
【補正対象書類名】明細書
【補正対象項目名】０００９
【補正方法】変更
【補正の内容】
【０００９】
請求項５に記載の発明は、入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムであって、
前記複数の双方向型自動改札・集札装置のそれぞれの改札・集札制御手段は、改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信し、
前記集中制御装置の集中制御手段の制御手段は、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出し、
さらに前記集中制御装置の集中制御手段の制御手段は、その算出した比率と算出した年月日と時間と曜日との情報を前記記憶手段に記憶させ、且つ、その記憶手段に記憶させた過去の情報の中から所望する月毎や日にち毎や曜日毎や時間毎の条件にあった比率の情報を一つ以上読み出し、
さらに前記集中制御装置の集中制御手段の演算手段にて、前記読み出した一つ以上の情報の平均の比率である平均比率を算出し、
さらに前記集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記平均比率の近似の整数になるように、
前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記過去の情報の中から所望する月毎や日にち毎や曜日毎や時間毎の条件にあった一つ以上の情報の平均の比率である平均比率の近似の整数になるように、
制御することを特徴とする集中制御装置の制御プログラムを記録したコンピュータ読取り可能な記録媒体である。
【手続補正７】
【補正対象書類名】明細書
【補正対象項目名】００１０
【補正方法】変更
【補正の内容】
【００１０】
請求項６に記載の発明は、入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、が備えられた集中制御装置と、
から構成された双方向型自動改札・集札システムの動作方法であって、
前記複数の双方向型自動改札・集札装置のそれぞれの改札・集札制御手段が、それぞれ改札・集札手段の改札手段を作用させて改札を行うことで得られた入場者数の情報と、集札手段を作用させて集札を行うことで得られた出場者数との情報を、前記それぞれの通信手段と前記集中制御装置の集中通信手段とを介して、前記集中制御装置の集中制御手段の制御手段宛に送信するステップと、
前記集中制御装置の集中制御手段の制御手段が、前記それぞれの双方向型自動改札・集札装置の改札・集札制御手段より受信した、改札手段を作用させて改札を行うことで得られた入場者数の情報と、集札手段を作用させて集札を行うことで得られた出場者数の情報とに基づき、一定の時間間隔毎若しくは特定の時間間隔毎の入場者数の合計と出場者数の合計との比率を集中制御手段の演算手段にて算出するステップと、
さらに集中制御装置の集中制御手段の制御手段が、前記複数の双方向型自動改札・集札装置の改札手段を作用させる台数と集札手段を作用させる台数との比率が、前記集中制御装置の集中制御手段の演算手段の演算結果である前記一定の時間間隔毎若しくは特定の時間間隔毎の入場者数の合計と出場者数の合計との比率の近似の整数になるように、前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信するステップと、
前記それぞれの双方向型自動改札・集札装置の改札・集札制御手段が、前記集中制御装置の集中制御手段の制御手段から受信した前記制御情報に基づき、それぞれの改札・集札手段の改札手段を作用させるか若しくは集札手段を作用させるかを択一的に制御するステップにより、
前記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になるように制御することを特徴とする双方向型自動改札・集札システムの動作方法である。
【手続補正８】
【補正対象書類名】明細書
【補正対象項目名】００１１
【補正方法】変更
【補正の内容】
【００１１】
請求項７に記載の発明は、入場しようとする者から投入若しくは接近若しくは接触されて来る乗車券類に対してその乗車券類が使用可能であるか否かを判別して改札処理を行う改札手段と、出場しようとする者から投入若しくは接近若しくは接触されて来る乗車券類が正しい運賃を支払っているか否か若しくは支払い得るか否かを判別して集札処理を行う集札手段とを備え、その改札手段と集札手段とが択一的に作用するように構成された改札・集札手段と、
その改札・集札手段に接続され前記改札・集札手段の制御を行う改札・集札制御手段と、
その改札・集札制御手段に接続され情報の送信と受信とを行う通信手段と、を備えた複数の双方向型自動改札・集札装置と、
その複数の双方向型自動改札・集札装置のそれぞれの通信手段に接続され情報の送信と受信を行う集中通信手段と、その集中通信手段に接続され制御手段とその制御手段に接続された演算手段と記憶手段とを備えた前記複数の双方向型自動改札・集札装置の改札・集札手段の改札手段若しくは集札手段のいずれを作用させるかをそれぞれ制御することが可能な集中制御手段と、
画像を撮影するテレビカメラ手段とその撮影した画像中の人物の数の検出する画像認識手段とその検出した人物がどちらの方向に動いているかを示す動きベクトルを検出する動きベクトル検出手段とを備えた入場者数と出場者数とを計測する入出場者数計測手段と、が備えられた集中制御装置と、
から構成された双方向型自動改札・集札システムであって、
前記入出場者数計測手段は、テレビカメラ手段にて双方向型自動改札・集札システムの通路の画像を撮影しその情報を画像認識手段に送信し、画像認識手段は受信した前記画像に人が何人撮影されているかを認識し、動きベクトル検出手段は前記画像情報と認識情報とから入場方向に移動している人を入場者であると判断しその合計を計測し且つ出場方向に移動している人を出場者であると判断しその合計を計測することにより得られた入場者数と出場者数との情報を、前記集中制御装置の集中制御手段の制御手段宛に送信し、
前記集中制御装置の集中制御手段の制御手段は、前記入出場者数計測手段を作用させて得られた入場者数と出場者数との情報に基づき、一定の時間間隔毎若しくは特定の時間間隔毎の入場者数の合計と出場者数の合計との比率を集中制御手段の演算手段にて算出し、
さらに前記集中制御装置の集中制御手段の制御手段は、前記複数の双方向型自動改札・集札装置の改札手段を作用させる台数と集札手段を作用させる台数との比率が、前記集中制御装置の集中制御手段の演算手段の演算結果である前記一定の時間間隔毎若しくは特定の時間間隔毎の入場者数の合計と出場者数の合計との比率の近似の整数になるように、前記それぞれの双方向型自動改札・集札装置に改札手段を作用させるか集札手段を作用させるかを制御する制御情報を、前記集中制御装置の集中通信手段と前記それぞれの双方向型自動改札・集札装置の通信手段とを介して前記それぞれの双方向型自動改札・集札装置の改札・集札制御手段宛に送信し、
前記それぞれの双方向型自動改札・集札装置の改札・集札制御手段は、前記集中制御装置の集中制御手段の制御手段から受信した前記制御情報に基づき、それぞれの改札・集札手段の改札手段を作用させるか若しくは集札手段を作用させるかを択一的に制御することにより、
前記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になるように、
制御することを特徴とする集中制御装置を備えた双方向型自動改札・集札システムである。